(57)【要約】【課題】磁気ストライプの付与されていないＩＣチップ搭載の取引カードや、又磁気データが壊れているＩＣチップ搭載取引カードから、ＩＣチップからカード情報を読み取り、取引を実行できるようにする。【解決手段】本発明の取引装置は、挿入された取引カードの券面画像を読み取る画像読取部と、画像読取部により読み取られた券面画像から、取引カードの券面上のＩＣ端子部の配置領域を含む複数の部分領域を画像解析して、ＩＣ端子部の存在を確認する端子確認部と、端子確認部による確認結果に応じて、取引カードのＩＣ端子部にＩＣ接点部を電気的に接触させて、ＩＣチップからカード情報を取得するＩＣ情報読取部と、取得したカード情報を用いて、所定の取引処理を行なう取引処理部とを備えることを特徴とする。【選択図】      図１
2017045174.tif 000002
【特許請求の範囲】
【請求項１】
挿入された取引カードの券面画像を読み取る画像読取部と、
上記画像読取部により読み取られた券面画像から、上記取引カードの券面上のＩＣ端子部の配置領域を含む複数の部分領域を画像解析して、ＩＣ端子部の存在を確認する端子確認部と、
上記端子確認部による確認結果に応じて、上記取引カードの上記ＩＣ端子部にＩＣ接点部を電気的に接触させて、ＩＣチップからカード情報を取得するＩＣ情報読取部と、
取得したカード情報を用いて、所定の取引処理を行なう取引処理部と
を備えることを特徴とする取引装置。
【請求項２】
挿入された取引カードの磁気変化を捉える磁気処理部を更に備え、
上記端子確認部が、上記磁気処理部により磁気変化のない取引カードについて、上記ＩＣ端子部の存在を確認する
ことを特徴とする請求項１に記載の取引装置。
【請求項３】
上記端子確認部が、上記券面画像から、正常方向挿入された取引カードの券面上のＩＣ端子部の配置領域を含む第１の部分領域と、逆方向挿入された取引カードの券面上の上記ＩＣ端子部の配置領域を含む第２の部分領域とに基づいて、ＩＣ端子部の存在を確認し、
上記ＩＣ情報読取部が、上記端子確認部により上記第１の部分領域に基づいて上記ＩＣ端子部を確認されたときに、ＩＣチップからカード情報を取得し、
上記取引処理部が、上記ＩＣ情報読取部からのカード情報を用いて、所定の取引処理を行なう
ことを特徴とする請求項１又は２に記載の取引装置。
【請求項４】
上記取引処理部が、上記端子確認部により、上記第２の部分領域に基づいて上記ＩＣ端子部を確認したとき、又は、上記第１の部分領域及び上記第２の部分領域にＩＣ端子部を確認できないとき、取引カードの再挿入画面を表示させ、取引カードの再挿入待機状態とする
ことを特徴とする請求項３に記載の取引装置。
【請求項５】
上記画像読取部が、再度挿入された取引カードの券面画像を取得し、
上記端子確認部が、再度挿入された取引カードの券面画像から、上記第１の部分領域と上記第２の部分領域に基づいて、ＩＣ端子部の存在を確認する
ことを特徴とする請求項４に記載の取引装置。
【請求項６】
上記磁気処理部が、磁気変化がある取引カードの磁気ストライプから取得した磁気データの正常性を確認するものであり、
上記端子確認部が、上記磁気データの異常検出したときに、上記ＩＣ端子部の存在を確認する
ことを特徴とする請求項２に記載の取引装置。
【請求項７】
上記磁気処理部が上記磁気データを正常に取得したとき、
上記取引処理部が、上記磁気処理部からのカード情報を用いて、所定の取引処理を行なう
ことを特徴とする請求項６に記載の取引装置。
【請求項８】
上記磁気処理部が、磁気変化がある取引カードの磁気ストライプから取得した磁気データの正常性を確認するものであり、
上記ＩＣ情報読取部が、上記磁気データの異常検出したときに、挿入された上記取引カード上の上記ＩＣ端子部に、ＩＣ接点部を電気的に接触させて、ＩＣチップからカード情報を取得する上記ＩＣ端子部の存在を確認し、
上記取引処理部が、上記ＩＣ情報読取部からのカード情報を用いて、所定の取引処理を行なう
ことを特徴とする請求項２に記載の取引装置。
【請求項９】
上記磁気処理部により上記磁気データの異常が検出されたときに、磁気ストライプに格納する磁気情報の復元を行う磁気情報復元部を更に備えることを特徴とする請求項６又は８に記載の取引装置。
【請求項１０】
上記取引処理部が、上記端子確認部による上記ＩＣ端子部の存在確認の処理回数を変更すること特徴とする請求項１〜９のいずれかに記載の取引装置。
【請求項１１】
上記取引処理部が、所定時間内における、正常な取引終了による取引カードの返却件数と、取引終了せずに取引カードの返却件数とに基づく取引成功率に応じて、上記端子確認部による上記ＩＣ端子部の存在確認の処理回数を変更することを特徴とする請求項１０に記載の取引装置。
【発明の詳細な説明】
【技術分野】
【０００１】
本発明は、取引装置に関し、例えば、金融機関やコンビニエンスストア等に設置され、挿入された取引カードのカード情報を用いて所定の取引処理を行う取引装置に適用し得るものである。
【背景技術】
【０００２】
従来、取引装置に用いられる取引カードは、磁気ストライプが付与されているカードが主流である。また、ＩＣチップを搭載した取引カードも使用されている。従来のＩＣチップを搭載した取引カードは、磁気ストライプが必ず付与されており、磁気データ内にＩＣチップを搭載しているか否かのＩＣ搭載情報が含まれている。
【０００３】
取引装置は、挿入された取引カードの磁気ストライプから磁気データを読み取り、ＩＣチップの搭載情報を確認している。ＩＣチップ搭載の取引カードの場合、取引装置は、ＩＣチップのＩＣ端子部にＩＣ接点部を下降して、ＩＣ接点部をＩＣ端子部に電気的に接触させる。これにより、取引装置は、ＩＣチップにアクセスしてカード情報を取得し、取引を開始している。
【先行技術文献】
【特許文献】
【０００４】
【特許文献１】特開２００９−２１７６４７号公報
【特許文献２】特開２０１２−２３４５７８号公報
【特許文献３】特開平６−２５９６４０号公報
【発明の概要】
【発明が解決しようとする課題】
【０００５】
しかしながら、近年、磁気ストライプを付与していないＩＣチップ搭載の取引カードが出現している。そのため、従来の方法では、磁気ストライプからＩＣ搭載情報を読み取れず、ＩＣチップを搭載した取引カードを使用できない場合が生じ得る。
【０００６】
また、磁気ストライプを付与しているＩＣチップ搭載の取引カードであっても、磁気データが消磁などで壊れているときには、当該取引カードを使用した取引ができない場合も生じ得る。
【０００７】
磁気データとしてのＩＣ搭載情報を読み取らずに、一次的にＩＣチップからカード情報を読み取ることも考えられる。しかし、ＩＣチップからカード情報を読み取る際に、ＩＣ端子部にＩＣ接点部を接触させることが必要となる。このとき、例えば、挿入方向を間違えて取引カードが挿入された場合、ＩＣ接点部が、取引カードの表面上に加工されたエンボス（凹凸部）に接触してしまい、ＩＣ接点部が破損する可能性の問題も生じ得る。
【０００８】
そこで、本発明は、上記課題に鑑み、磁気ストライプの付与されていないＩＣチップ搭載の取引カードや、又磁気データが壊れているＩＣチップ搭載取引カードから、ＩＣチップからカード情報を読み取り、取引を実行できる取引装置を提供しようとするものである。
【課題を解決するための手段】
【０００９】
かかる課題を解決するために、本発明の取引装置は、（１）挿入された取引カードの券面画像を読み取る画像読取部と、（２）画像読取部により読み取られた券面画像から、取引カードの券面上のＩＣ端子部の配置領域を含む複数の部分領域を画像解析して、ＩＣ端子部の存在を確認する端子確認部と、（３）端子確認部による確認結果に応じて、取引カードのＩＣ端子部にＩＣ接点部を電気的に接触させて、ＩＣチップからカード情報を取得するＩＣ情報読取部と、（４）取得したカード情報を用いて、所定の取引処理を行なう取引処理部とを備えることを特徴とする。
【発明の効果】
【００１０】
本発明によれば、磁気ストライプの付与されていないＩＣチップ搭載の取引カードや、又磁気データが壊れているＩＣチップ搭載取引カードから、ＩＣチップからカード情報を読み取り、取引を実行できる。
【図面の簡単な説明】
【００１１】
【図１】第１の実施形態に係る取引装置における動作を示すフローチャートである（その１）。
【図２】第１の実施形態に係る取引装置の外観斜視図である。
【図３】第１の実施形態に係る取引装置の制御系の構成及び取引システムの構成を示す構成図である。
【図４】第１の実施形態に係るカード処理部の内部構成を示す内部構成図である。
【図５】第１の実施形態に係るＩＣチップ搭載の取引カードの構成を示す構成図である。
【図６】第１の実施形態に係る取引装置における動作を示すフローチャートである（その２）。
【図７】第２の実施形態に係る取引装置における動作を示すフローチャートである（その１）。
【図８】第２の実施形態に係る取引装置における動作を示すフローチャートである（その２）。
【発明を実施するための形態】
【００１２】
（Ａ）第１の実施形態
以下では、本発明に係る取引装置の第１の実施形態を、図面を参照しながら詳細に説明する。
【００１３】
（Ａ−１）第１の実施形態の構成
図２は、第１の実施形態に係る取引装置の外観斜視図である。
【００１４】
図２において、第１の実施形態の取引装置１は、取引カードの挿入や排出を行うカード入出口８ａ、通帳の挿入や排出を行う通帳入出口１１ａ、紙幣の挿入や排出を行う紙幣入出金口１２ａ、硬貨の挿入や排出を行う硬貨入出金口１３ａ、操作表示部１４を有する。
【００１５】
取引装置１は、例えば、金融機関やコンビニエンスストア等に設置される。取引装置１は、挿入された取引カードの磁気ストライプ又はＩＣカードに格納されるカード情報を用いて、所望の取引処理を行なう。
【００１６】
図３は、第１の実施形態に係る取引装置１の制御系の構成及び取引システムの構成を示す構成図である。
【００１７】
図３において、取引システム５０は、取引装置１、ネットワーク回線２、ホストコンピュータ３、記憶装置４、ネットワーク回線５、他の金融機関のホストコンピュータ６及び記憶装置７を有する。
【００１８】
図３に示すように、取引装置１は、ネットワーク回線２を介して、ホストコンピュータ３と接続する。ホストコンピュータ３は、当該取引装置１を管理する金融機関が運用するものである。ホストコンピュータ３は、取引装置１から取引内容を含む取引要求電文を取得し、取引要求電文に対する応答電文を取引装置１に返信する。取引装置１はホストコンピュータ３からの応答電文に従って取引処理を実行する。なお、ホストコンピュータ３は、記憶装置４と接続しており、取引に係る顧客の口座番号、残高情報等の含む取引情報等を記憶する。
【００１９】
また、ホストコンピュータ３は、ネットワーク回線５を介して、他金融機関のホストコンピュータ６と接続している。例えば、取引装置１を使用する顧客が、他金融機関の取引カードを利用したり、他金融機関との間で取引を行ったりする場合には、ホストコンピュータ３がホストコンピュータ６との間で取引に係る電文を授受して、他金融機関との間の取引を行う。なお、他金融機関のホストコンピュータ６も、取引情報を記憶する記憶装置７と接続している。
【００２０】
なお、図３において、取引装置１、ホストコンピュータ３、他金融機関のホストコンピュータ６は、それぞれ１台の構成を示しているが、それぞれの設置台数は、１台に限定されない。
【００２１】
図３において、第１の実施形態の取引装置１は、通帳処理部１１、カード処理部８、明細票処理部９、紙幣入出金部１２、硬貨入出金部１３、操作表示部１４、制御部１６、電源部１５、記憶部１８、インタフェース部１７を有する。
【００２２】
通帳処理部１１は、通帳入出口１１ａ（図２参照）から挿入された通帳に印字を行うものである。また、通帳処理部１１は、通帳に付与されている磁気記録情報の読取りや書込みをするリードライト手段、通帳の頁行の検出手段、改頁手段を有する。
【００２３】
カード処理部８は、カード入出口８ａから挿入された取引カード１０を取り込み、取引カード１０からカード情報を読み取り、その読み取ったカード情報を制御部１６に与えるものである。カード処理部８の内部構成の詳細な説明は後述する。
【００２４】
明細票処理部９は、取引内容情報（例えば、取引年月日、金額等）を用紙に印字して明細票を発行する。
【００２５】
紙幣入出金部１２は、入金の場合、紙幣入出金口１２ａから投入された紙幣の真偽鑑別及び紙幣枚数の計数を行ない、図示しないスタッカ等に紙幣を搬送する。また、紙幣入出金部１２は、出金の場合、スタッカから紙幣の繰り出しや搬送を行ない、紙幣の真偽鑑別及び計数を行ない、紙幣入出金口１２ａに排出する。
【００２６】
硬貨入出金部１３は、入金の場合、硬貨入出金口１３ａから投入された硬貨の真偽鑑別及び紙幣枚数の計数を行ない、図示しないスタッカ等に硬貨を収納する。また、硬貨入出金部１３は、出金の場合、スタッカから硬貨の繰り出しや搬送を行ない、硬貨の真偽鑑別及び計数を行ない、硬貨入出金口１３ａに排出する。
【００２７】
操作表示部１４は、顧客による取引入力するためのタッチパネルやテンキーなどの入力部と、取引種別選択画面や誘導画面や入力情報を含む画面や操作キー等を表示するための表示部を有する。
【００２８】
制御部１６は、取引装置１において実行可能な処理を司る部分である。第１の実施形態に係る制御部１６の主な機能は、磁気情報確認部１６１、券面情報確認部１６２、端子確認部１６３、ＩＣ情報読取部１６４、取引処理部１６５、磁気情報復元部１６６を有する。
【００２９】
磁気情報確認部１６１は、磁気処理部８４から、磁気ストライプ１０１（図５参照）に格納されている磁気データとしてのカード情報を解析するものである。磁気情報確認部１６１は、取得した磁気データとして格納されているカード情報から、口座番号、金融機関番号、店番号等を解析すると共に、ＩＣ搭載情報に基づいて当該取引カード１０がＩＣ搭載取引カードであるか否かを解析する。
【００３０】
券面情報確認部１６２は、画像読取部８５により読み取られた取引カード１０の上側券面のイメージ画像（カードイメージとも呼ぶ。）から、取引カード１０の券面に記載されている情報を読み取ったり、読み取ったイメージ画像の記憶処理等を行なったりする。
【００３１】
端子確認部１６３は、取引カード１０の券面のイメージ画像から、予め設定された、ＩＣチップのＩＣ端子部１０２の位置を含む部分領域の画像を解析して、ＩＣ端子部１０２の存在を確認するものである。端子確認部１６３は、例えば、予め記憶されたＩＣ端子部のイメージ画像パターンとのマッチングなどにより、部分領域の画像がＩＣ端子部を含んでいるか否かを確認する方法を適用できる。
【００３２】
ＩＣ情報読取部１６４は、ＩＣ端子部１０２が存在する場合に、ＩＣ接点部８６をＩＣ端子部１０２に電気的に接触させて、ＩＣ端子部１０２を介してＩＣチップに格納されているＩＣ情報を取得するものである。つまり、ＩＣ情報読取部１６４は、ＩＣ情報としてのカード情報である、口座番号、金融機関番号、店番号等を解析する。
【００３３】
取引処理部１６５は、取引装置１が実行可能な各種取引処理を行なう。取引処理部１６５は、例えば、入金取引、出金取引、残高確認処理、通帳記入処理、振込処理などを行なう。取引処理部１６５は、磁気情報又はＩＣ情報から、取得したカード情報と入力された暗証番号及び取引に係る情報を含む取引情報をホストコンピュータ３との間で授受することにより、取引を実行する。
【００３４】
磁気情報復元部１６６は、磁気情報確認部１６１により磁気データが壊れていると判断されたとき（すなわち、磁気データの異常検出と判断されたとき）に、ホストコンピュータ３から磁気情報を取得し、一時的に、その取得した磁気情報を保持する。そして、磁気情報復元部１６６は、取引カード１０の磁気ストライプ１０１に磁気データとして磁気情報を書き込む。その後、再度、磁気情報復元部１６６は、磁気ストライプ１０１に格納されている磁気データを読み取り、その読み取った磁気情報と書き込んだ磁気情報とが一致するか否かを確認して、正常に磁気情報を復元したか否かを判断する。
【００３５】
電源部１５は、取引装置１の各構成部に電源電力を供給するものである。
【００３６】
インタフェース部１７は、上位装置であるホストコンピュータ３と接続するためのインタフェース部である。
【００３７】
図４は、第１の実施形態に係るカード処理部８の内部構成を示す内部構成図である。
【００３８】
図４において、第１の実施形態のカード処理部８は、カード搬送路８３に沿って取引カード１０を搬送する複数の搬送ローラ部８１、カード検知部８２、磁気処理部８４、画像読取部８５、ＩＣ接点部８６、カード収納部８７を有する。
【００３９】
カード検知部８２は、カード入出口８ａから挿入された取引カード１０を検出する。カード検知部８２は、例えばカード入出口８ａからカード搬送路８３に向けて奥方に設けられている。カード検知部８２は、例えば、光学センサ等を適用できる。
【００４０】
磁気処理部８４は、制御部１６の制御により、挿入された取引カード１０に付与されている磁気ストライプから磁気データを読み取るものである。磁気処理部８４は、例えば、カード搬送路８３の上部であって、挿入される取引カード１０の磁気ストライプ１０１（図５参照）の位置に対応する位置に設けられている。磁気処理部８４は、磁気ストライプからカード情報や、ＩＣチップ搭載であるか否かを示すＩＣ搭載情報を読み取る。磁気処理部８４がＩＣ搭載情報を読み取った場合に、制御部１６の制御を受けて、後述するＩＣ接点部８６が、取引カード１０のＩＣチップのＩＣ端子部１０２（図５参照）に電気的な接触を行う。
【００４１】
画像読取部８５は、挿入された取引カード１０のカード表面の略全領域のイメージ画像を読み取るものである。画像読取部８５は、カード搬送路８３の上部に設けられている。そのため、画像読取部８５は、カード搬送路８３を搬送する取引カード１０の上側券面のイメージ画像を読み取る。制御部１６は、画像読取部８５により読み取られた、取引カード１０の上側券面のイメージ画像からＩＣ端子部１０２（図５参照）が設けられている部分領域を抽出し、その抽出した部分領域の画像からＩＣ端子部１０２（図５参照）の存在を認識する。
【００４２】
ＩＣ接点部８６は、制御部１６の制御により、挿入された取引カード１０に付されているＩＣチップのＩＣ端子部１０２（図５参照）と電気的に接触して、ＩＣチップから格納情報を読み取るものである。ＩＣ接点部８６はカード搬送路８３の上部に設けられており、ＩＣ接点部８６はカード搬送路８３に対して垂直方向（上下方向）に可動である。そのため、ＩＣチップのＩＣ端子部１０２と電気的な接触をするときには、搬送されてきた取引カード１０の搬送を停止し、ＩＣ接点部８６が矢印Ｂ方向に降下し、ＩＣ端子部１０２にＩＣ接点部８６が電気的に接触する。また、格納情報を読み取った後は、ＩＣ接点部８６が上昇し（矢印Ｂの逆方向に移動し）、ＩＣ端子部１０２からＩＣ接点部８６が離れる。
【００４３】
カード収納部８７は、例えば、顧客により取り忘れた取引カード１０を収納する。
【００４４】
図５は、第１の実施形態に係るＩＣチップ搭載の取引カード１０の構成を示す構成図である。
【００４５】
取引カード１０は、金融機関が発行したキャッシュカード、クレジットカード等のカードである。カード入出口８ａへの取引カード１０の正常な挿入は、図５に示す姿勢で取引カード１０が、矢印Ａの方向で、カード入出口８ａに挿入されるものとする。
【００４６】
なお、図５では、取引カード１０が磁気ストライプ１０１を付与されている場合を例示している。しかし、取引装置１の取り扱い可能な取引カード１０は、磁気ストライプのみが付与されているカード、磁気ストライプ及びＩＣチップ搭載のカード、ＩＣチップのみを搭載のカードを用いることができる。
【００４７】
取引カード１０のＩＣチップ又は磁気ストライプ１０１には、金融機関毎の識別コード、顧客の口座番号などのカード情報を記録している。
【００４８】
磁気ストライプ１０１は、上記のようなカード情報を磁気データとして記録する。また、磁気ストライプ１０１は、ＩＣチップ搭載のカードであるか否かを示すＩＣチップ搭載情報を記録する。なお、取引カード１０の仕様によっては、ＩＣチップ搭載情報が、磁気ストライプ１０１に記録されていない場合もある。
【００４９】
また、取引カード１０にＩＣチップが搭載されている場合、ＩＣチップは、上記カード情報を記録する。
【００５０】
図４において、取引カード１０が矢印Ａの方向で挿入されると、取引カード１０はカード搬送路８３に沿って搬送され、取引カード１０は磁気処理部８４に達する。磁気処理部８４は、取引カード１０の磁気ストライプ１０１から磁気データを読み取る。
【００５１】
ここで、一般的には、磁気ストライプ１０１にはＩＣ搭載情報が磁気データとして記録されている。従って、磁気処理部８４は、磁気ストライプ１０１からＩＣ搭載情報を読み取ることができる。
【００５２】
しかし、取引カード１０に磁気ストライプ１０１が付与されていない場合や、ＩＣ搭載情報が記録されていない場合や、磁気データが壊れている場合には、磁気処理部８４はＩＣ搭載情報を読み取ることができない。
【００５３】
そこで、第１の実施形態では、画像読取部８５が、取引カード１０の上側券面のイメージ画像を読み取り、そのイメージ画像からＩＣ端子部１０２の位置を含む部分領域の画像からＩＣ端子部１０２の存在を判断する。
【００５４】
図５に示すように、取引カード１０は、口座番号や顧客の氏名等が記載された券面表示部１０３がある。
【００５５】
券面表示部１０３は、取引カード１０の仕様によって、エンボス加工されて文字や数字が凹凸で表されたものや、文字や数字が印刷されたものがある。また、券面表示部１０３には、地模様が付されている。
【００５６】
画像読取部８５により読み取られた券面表示部１０３は、取引情報としてホストコンピュータ３に与えられ、記憶装置４に記憶される。
【００５７】
画像読取部８５は、上側券面のイメージ画像として、図５のカードイメージ領域１０４を読み取る。画像読取部８５は、取引カード１０の上側券面の略全領域を読み取ることができる。このとき、カードイメージ領域１０４は、上述した券面表示部１０３と、ＩＣチップのＩＣ端子部１０２の領域１０５（第１の部分領域とも呼ぶ。）を含む。換言すると、ＩＣ端子部１０２の領域１０５は、カードイメージ領域１０４の一部領域といえる。
【００５８】
画像読取部８５は、読み取ったカードイメージ領域１０４から、ＩＣ端子部１０２の領域１０５を抽出して、ＩＣ端子部１０２が取引カード１０にあるか否かを判断する。
【００５９】
領域１０５は、ＩＣ端子部１０２の位置を含む領域であり、取引カード１０の搬送誤差を考慮し、ＩＣ端子部１０２の大きさよりも少し広めの領域とする。また、領域１０５は、ＩＣ接点部８６を電気的な接触をする範囲である。
【００６０】
一般的に、取引カード１０に設けるＩＣ端子部１０２の位置は、国際規格等で標準化されている。従って、画像読取部８５は、読み取ったカードイメージ領域１０４から、予め設定された領域１０５を抽出することで、ＩＣ端子部１０２があるか否かを判断できる。
【００６１】
また、間違えた姿勢で取引カード１０を顧客が挿入した場合でも、画像読取部８５がＩＣ端子部１０２の存在を認識するため、画像読取部８５は、カードイメージ領域１０４から領域１０６も抽出して、ＩＣ端子部１０２の存在を判断する。
【００６２】
領域１０６（第２の部分領域とも呼ぶ。）は、取引カード１０の挿入方向を１８０°逆方向で挿入されたときのＩＣ端子部１０２の位置を含む領域である。上述したように、ＩＣ端子部１０２の位置は、国際規格等により標準化されているため、領域１０６の位置を予め決定することができる。なお、取引カード１０が、磁気ストライプ１０１のみ付与されている場合には、領域１０５及び領域１０６にＩＣ端子部１０２は存在しない。
【００６３】
ここで、挿入される取引カード１０の姿勢は、大きく、逆方向挿入と、裏面挿入とに大別される。逆方向挿入は、正常な挿入方向と１８０°逆方向に取引カード１０が挿入されることである。つまり、図５において矢印Ａの方向と逆方向に挿入されることである。裏面挿入は、挿入される取引カード１０の券面の表裏が逆の状態で挿入されることである。
【００６４】
画像読取部８５が、カードイメージ領域１０４から抽出した領域１０５及び領域１０６の部分領域の画像を判断することにより、領域１０５にＩＣ端子部１０２が存在する場合には、ＩＣチップ搭載の取引カード１０が正常な姿勢で挿入されたと認識できる。また、領域１０６にＩＣ端子部１０２が存在する場合には、取引カード１０が逆方向で挿入されたと認識できる。
【００６５】
（Ａ−２）第１の実施形態の動作
図１及び図６は、第１の実施形態に係る取引装置１における動作を示すフローチャートである。
【００６６】
図１及び図６では、説明を容易にするために、取引科目として残高照会の場合を例示する。しかし、取引科目は、残高照会に限定されるものではなく、入金取引、出金取引、振込取引等にも適用できる。
【００６７】
Ｓ０：顧客操作により、取引カード１０がカード入出口８ａに挿入される。カード処理部８のカード検知部８２が取引カード１０を検出すると、カード処理部８は、カード搬送路８３の搬送ローラ部８１を回転させ取引カードを吸入する。
【００６８】
取引カード１０が磁気処理部８４を通過すると、磁気処理部８４が磁気ストライプから磁気データを読み取る。
【００６９】
Ｓ１：取引カード１０は搬送されて、画像読取部８５により取引カード１０の上側券面のほぼ全領域である領域１０４のイメージ画像（カードイメージ）をリードする。取引カード１０は、取引カード１０イメージ画像を全て読み取った後、カード搬送路８３上で停止し待機する。取引カード１０のイメージデータは制御部１６に与えられる。
【００７０】
Ｓ２：磁気処理部８４は、挿入された取引カード１０の磁力変化の有無を確認する。
【００７１】
磁力変化がある場合、当該取引カード１０は磁気ストライプ１０１を有するものであり、磁気ストライプ１０１から磁気データを読み取り、処理はＳ２４に移行する。
【００７２】
また、磁力変化がない場合、磁気ストライプ１０１を有さない取引カード１０、又は、逆方向挿入の取引カード１０若しくは裏面挿入の取引カード１０と判断できる。この場合、処理はＳ３に移行する。
【００７３】
Ｓ３：磁気変化がない場合、画像読取部８５により読み取られたカードイメージデータから、取引カード１０のＩＣ端子部付近のイメージ認識を行う。すなわち搬送誤差等を考慮したＩＣ端子部１０２の認識領域１０５のイメージデータと、１８０°反転した位置の領域１０６のイメージデータ領域との２箇所とを制御部１６は判断し、当該取引カード１０にＩＣ端子部１０２が存在するか否かイメージ解析を行なう。
【００７４】
領域１０５のイメージ領域内にＩＣ端子部１０２が認識できたか、あるいは領域１０６のイメージ領域にＩＣ端子部１０２が認識できたか、あるいは、両者とも存在しないかを解析して検出する。なお、イメージデータの解析は、制御部１６ではなくカード処理部８の制御部内でおこなってもよい。
【００７５】
カードイメージデータからのＩＣ端子部１０２の検出結果が、両者とも検出できない場合やＩＣ端子部１０２が１８０°反転の領域１０６でＩＣ端子部１０２を検出した場合、処理はＳ４へ移行する。
【００７６】
Ｓ４：操作表示部１４にカード再挿入画面を表示する。例えば、カード再挿入画面は、『取引カードを受け取って、取引カードの向きを確認して正しく再挿入願います。』等の文言やカード挿入方向を示すイラストを含むカード再挿入画面を表示し、顧客に取引カード１０の再挿入を促す。
【００７７】
Ｓ５：取引カード１０は返却される。
【００７８】
Ｓ６：制御部１６は、取引カードの挿入（再挿入）を判断する。つまり、制御部１６は、所定のタイムアウト時間を計時し、顧客による取引カード１０の再挿入が所定時間内になされたか否かを判断する。そして、所定のタイムアウト時間内に取引カード１０が挿入されると、処理はＳ７に移行し、所定のタイムアウト時間内に取引カード１０が挿入されない場合、取引終了となる（Ｓ８）。
【００７９】
Ｓ７：所定のタイムアウト時間内に取引カード１０が挿入されると、引き続き、当該顧客による処理を続行するために、カード処理部８のカード検知部８２が取引カード１０を検出する。カード処理部８は、カード搬送路８３の搬送ローラ部８１を回転させ取引カード１０を吸入する。取引カード１０が磁気処理部８４を通過すると、磁気処理部８４が磁気ストライプから磁気変化を読み取る。
【００８０】
Ｓ９：そして、取引カード１０は搬送されて、画像読取部８５により取引カード１０の上側券面のほぼ全領域である領域１０４のイメージ画像（カードイメージ）をリードする。取引カード１０は、取引カード１０イメージ画像を全て読み取った後、カード搬送路８３上で停止し待機する。取引カード１０のイメージデータは制御部１６に与えられる。
【００８１】
Ｓ１０：磁気処理部８４により読み取られた磁気変化の有無を確認する磁気データがある場合、処理はＳ２４に移行し、磁気データが無い場合、処理はＳ１１に移行する。
【００８２】
Ｓ１１：磁気変化がない状態の場合、画像読取部８５により読み取られたカードイメージデータから、取引カード１０にＩＣ端子部１０２があるべき領域と、１８０°反転した位置の領域１０６のイメージデータ領域との２箇所を判断し、当該取引カード１０にＩＣ端子部１０２が存在するか否かイメージ解析を行なう。ＩＣ端子部１０２が正常な位置に検出された場合、処理はＳ１２に移行する。また、ＩＣ端子部１０２が領域１０６で検出された場合、あるいは、ＩＣ端子部１０２が領域１０５及び領域１０６で検出されない場合、処理はＳ１０３に移行する。
【００８３】
Ｓ１２：Ｓ３及びＳ１１で、ＩＣ端子部１０２が正常位置と検出した場合、ＩＣ活性化を判断する。つまり、カード搬送路８３上に存在する取引カード１０を、ＩＣ端子部１０２とＩＣ接点部８６が接触可能な位置で取引カードの搬送を停止し、ＩＣ接点部８６を矢印Ｂ方向に降下させ、ＩＣ接点部８６がＩＣ端子部１０２と電気的に接続して通信を実施する。ここで、最初のＩＣチップとのアクセスを活性化と呼ぶ。この活性化が正常（ＯＫ）場合、処理はＳ１５に移行する。活性化がＮＧの場合、処理はＳ２３に移行してカードを返却する（Ｓ２３）。
【００８４】
Ｓ１３：カードイメージデータからのＩＣ端子部１０２の検出結果が、両者とも検出できない場合、あるいは、ＩＣ端子部１０２が１８０°反転の領域１０６でＩＣ端子部を検出した場合、操作表示部１４に最初から取引を行なわせる画面を表示する。例えば、『取引カードを受取って、取引カードの向きを確認して正しく挿入願います。』の文言を含む画面を表示し、顧客に正しい取引カードの挿入を促す。
【００８５】
Ｓ１４：取引カード１０はカード入出口８ａに排出され顧客に返却し、当該取引は終了する。
【００８６】
Ｓ１５：ＩＣ接点部８６がＩＣ端子部１０２と電気的接触を行い、ＩＣチップへの活性化が正常に行なわれ、操作表示部１４において、顧客操作により暗証入力がなされる。
【００８７】
Ｓ１６：ＩＣ接点部８６を通じて、ＩＣチップにアクセスする。
【００８８】
Ｓ１７：Ｓ１６におけるＩＣチップへのアクセスが成功した場合、処理はＳ１８に移行する。一方、ＩＣチップへのアクセスが失敗すると、処理はＳ２３に移行して、取引カード１０が返却される。
【００８９】
Ｓ１８：ＩＣチップへのアクセスが成功してカード情報が取得されると、ホストコンピュータ３と通信して、暗証入力された暗証番号とＩＣチップから取得したカード情報とを含む取引要求電文（この場合、残高要求）がホストコンピュータ３に与えられる。
【００９０】
Ｓ１９：ホストコンピュータと通信し、ホストコンピュータが取引の可否を判断する。このとき、ホストコンピュータ３との通信がＮＧの場合、処理はＳ２３に移行し、ＯＫの場合は、処理はＳ２０に移行する。
【００９１】
Ｓ２０：ホストコンピュータ３から残高情報を受取り、操作表示部１４に残高表示する。そして、顧客操作により確認ボタンが選択されると、処理はＳ２１に移行する。
【００９２】
Ｓ２１：取引情報であるカードイメージや取引情報が記憶部１８の電子ジャーナルに記憶され、処理はＳ２２に移行する。
【００９３】
Ｓ２２：取引は正常に終了し、取引カード１０が返却される。
【００９４】
Ｓ２及びＳ１０において、取引カード１０の磁気ストライプ１０１から磁気有りと判断された場合、処理はＳ２４に移行する。
【００９５】
Ｓ２４：磁気ストライプ１０１の磁気データが正常にリードできた場合、処理はＳ２５に移行する。なお、磁気データが異常である場合、処理はＳ１２に移行する。
【００９６】
Ｓ２５：磁気処理部８４は磁気データが解析する。このとき、磁気データにＩＣ搭載情報が含まれている場合、当該取引カード１０はＩＣカードであると判断し、処理はＳ１２に移行する。一方、磁気データにＩＣ搭載情報が含まれていない場合、当該取引カード１０が磁気ストライプのみが付与されているものと判断し、処理はＳ２６に移行する。
【００９７】
Ｓ２６：ここでは、Ｓ１５と同じ処理である。つまり、ＩＣチップへの活性が正常に行なされ、操作表示部１４において、顧客操作により暗証入力がなされる。
【００９８】
Ｓ２７：Ｓ２６で取得された暗証番号と磁気ストライプ１０１からリードしたカード情報とを含む情報をホストコンピュータ３と通信する。
【００９９】
Ｓ２８：ホストコンピュータ３と通信し、ホストコンピュータ３が取引の可否を判断する。ＮＧの場合は、処理はＳ３０に移行して取引カード１０が返却されて当該取引終了する。一方、ＯＫの場合、処理はＳ２９に移行する。
【０１００】
Ｓ２９：Ｓ２０と同様に、ホストコンピュータ３から残高情報を受取り、操作表示部１４に残高表示する。そして、顧客操作により確認ボタンが選択されると、処理はＳ３１に移行する。
【０１０１】
Ｓ３１：Ｓ２１と同様に、取引情報であるカードイメージや取引情報が記憶部１８の電子ジャーナルに記憶され、処理はＳ３２に移行する。
【０１０２】
Ｓ３２：取引は正常に終了し、取引カード１０が返却される。
【０１０３】
Ｓ３３：Ｓ２４で磁気ストライプ１０１が異常であると判断されると、画像読取部８５により読み取られた取引カード１０のカードイメージデータからＩＣ端子部１０２があるか否かが判断される。そして、カードイメージデータからのＩＣ端子部１０２の検出結果が、両者とも検出できない場合やＩＣ端子部１０２が１８０°反転の領域１０６でＩＣ端子部を検出した場合、Ｓ５２へ移行する。また、ＩＣ端子部１０２が正常な位置に検出された場合、処理はＳ３４に移行する。
【０１０４】
なお、Ｓ３４〜Ｓ４２はそれぞれ、Ｓ１２〜Ｓ２３の処理と同様の処理である。
【０１０５】
Ｓ４３：当該取引カードが自身の金融機関のカードである否かを判断する。取引カード１０が自身の金融機関である場合、処理はＳ４４に移行し、他の金融機関である場合には、処理はＳ５１に移行し、取引カード１０は排出して顧客に返却する。
【０１０６】
Ｓ４４：当該取引カード１０の磁気ストライプ１０１に格納される磁気データを修復するために、ホストコンピュータ３と通信し、ホストコンピュータ３から当該取引カードの磁気ストライプ情報を制御部１６が取得する。
【０１０７】
Ｓ４５：ホストコンピュータ３から取得した磁気ストライプ情報を、取引カード１０の磁気ストライプ１０１に磁気書き込みする。
【０１０８】
Ｓ４６：磁気処理部８４は、磁気ストライプ１０１から再度磁気データを読み込み、ホストコンピュータ３から取得した磁気ストライプ情報と一致するか否かを判断して、正常に磁気ストライプが書き込めたかチェックする。このとき、異常であれば処理はＳ４７へ移行し、正常の場合、処理はＳ４９に移行する。
【０１０９】
Ｓ４７：磁気ストライプ１０１に磁気データが正常に書き込めなかった場合、顧客に磁気データを復元できなかったことを知らせるために、例えば、『取引カードの磁気データが修復できませんでした。ＩＣカードとしての取引は可能です。』などの文言を含む画面を操作表示部１４に表示し、Ｓ４８に移行する。
【０１１０】
Ｓ４８：取引カード１０はカード入出口８ａから排出されて、取引カード１０を顧客に返却して取引を終了する。
【０１１１】
Ｓ４９：磁気ストライプ１０１に磁気データを正常に書き込んだことを顧客に知らせるために、例えば、『取引カードの磁気ストライプを修復しました』などの文言を含む画面を操作表示部１４に表示し、処理はＳ５０に移行する。
【０１１２】
Ｓ５０：取引カード１０はカード入出口８ａから排出されて、取引カード１０を顧客に返却して取引を終了する。
【０１１３】
Ｓ５２：カードイメージデータからのＩＣ端子部１０２の検出結果が、両者とも検出できない場合、あるいは、ＩＣ端子部１０２が１８０°反転の領域１０６で検出した場合、処理はＳ３３からＳ５２へ移行する。例えば、操作表示部１４に『この取引カードは磁気ストライプが壊れているため使えません。』などの文言を含む画面が表示され、Ｓ５３へ移行する。
【０１１４】
Ｓ５３：取引カード１０はカード入出口８ａから排出されて、取引カード１０を顧客に返却して取引を終了する。
【０１１５】
（Ａ−３）第１の実施形態の効果
以上のように、第１の実施形態によれば、挿入された取引カードのエンボス領域内の凸凹にＩＣ接点部を誤って降ろして、ＩＣ接点部を破損することなく、磁気ストライプが付いていないＩＣチップ搭載の取引カードや、磁気ストライプが付いているＩＣチップ搭載の取引カードであるが、磁気ストライプデータが壊れている場合でも、取引カードを用いて、取引を行うことができる。
【０１１６】
また、第１の実施形態によれば、磁気ストライプに格納されている磁気データが壊れている場合でも、当該取引カードと自動取引装置が同一金融機関のものであれば、その壊れた磁気データを磁気ストライプに修復することができる。
【０１１７】
（Ｂ）第２の実施形態
次に、本発明に係る取引装置の第２の実施形態を、図面を参照しながら詳細に説明する。
【０１１８】
第２の実施形態においても、第１の実施形態に係る図２〜図５を用いて説明する。
【０１１９】
第２の実施形態では、取引カードのイメージデータに基づいて、ＩＣ端子部の存在を解析する回数が第１の実施形態と異なる。これは、画像読取部８５により読み取られた取引カード１０の券面のイメージ画像から抽出した部分領域を解析して、ＩＣ端子部１０２の存在を認識する認識率の精度を考慮したものである。つまり、ＩＣ端子部１０２を含む部分領域の画像から、ＩＣ端子部１０２の存在の認識率が低い場合は、挿入された取引カードの磁気ストライプを読み取った結果が正常に読めた場合以外は、取引カード１０をＩＣ接点部８６の位置まで搬送し、ＩＣ接点部８６を下降させて、ＩＣチップをアクセスして取引を開始する。ＩＣ端子部１０２の認識率が低いことで、ＩＣチップを搭載しているのも関わらず取引できなくなるケースを救済することができる。
【０１２０】
図７及び図８は、第２の実施形態に係る取引装置１における動作を示すフローチャートである。
【０１２１】
図７及び図８に示す動作フローチャートは、図１及び図６の動作フローチャートと比較すると、図７のＳ６１と図８のＳ６２との処理が異なり、それ以外の処理は図１及び図６に示す処理と同一又は対応する。従って、図７及び図８において、図１及び図６と同一又は対応する処理には同一の符号を付している。
【０１２２】
Ｓ６１：磁気処理部８４により読み取られた磁気データの有無に応じて、磁気データがある場合、処理はＳ６２に移行し、磁気データが無い場合、処理はＳ１２に移行する。
【０１２３】
つまり、磁気変化がない場合、第１の実施形態では、再度、画像読取部８５により読み取られた取引カード１０の券面のカードイメージからＩＣ端子部１０２の存在を確認するために、部分領域の画像を確認している。しかし、第２の実施形態では、ＩＣ端子部１０２の存在確認を行なわずに、取引処理を続行する。これにより、部分領域の画像に基づくＩＣ端子部１０２の存在確認を行なわないため、処理負荷を軽減することができ、且つ、取引に係る時間の短縮化もできる。
【０１２４】
Ｓ６２：磁気ストライプ１０１の磁気データ（ＭＳ）が正常にリードできた場合、処理はＳ２５に移行する。なお、磁気データが異常である場合、処理はＳ３４に移行する。
【０１２５】
つまり、磁気データが異常の場合、第１の実施形態では、再度、画像読取部８５により読み取られた取引カード１０の券面のカードイメージからＩＣ端子部１０２の存在を確認するために、部分領域の画像を確認している。しかし、第２の実施形態では、ＩＣ端子部１０２の存在確認を行なわずに、取引処理を続行する。この場合も同様に、部分領域の画像に基づくＩＣ端子部１０２の存在確認を行なわないため、処理負荷を軽減することができ、且つ、取引に係る時間の短縮化もできる。
【０１２６】
以上のように、第２の実施形態によれば、カードイメージデータによりＩＣ端子の検出精度が高くない場合、エンボス上にＩＣ接点部を降ろして、ＩＣ接点部を破壊する可能性があるリスクよりも、できるだけ取引カードを用いた取引処理を行なうことができる。
【０１２７】
（Ｃ）他の実施形態
上述した第１及び第２の実施形態においても種々の変形実施形態を言及したが、本発明は、以下の変形実施形態にも適用できる。
【０１２８】
（Ｃ−１）上述した第１及び第２の実施形態において、挿入された取引カードの券面上のＩＣ端末部の検出は、取引装置の制御部が行う場合を例示した。しかし、カード処理部に設けられる制御部が、抽出した部分領域からＩＣ端子部の有無を確認するようにしても良い。
【０１２９】
（Ｃ−２）上述した第１及び第２の実施形態で説明した動作モードは、切り替え可能であっても良い。すなわち、カードイメージから抽出した部分領域に基づいてＩＣ端子部の認識回数を変更することができる。例えば、係員による設定変更で選択可能とすることもできる。また例えば、取引の成功率などで動作モードを自動的に切り替えるようにしても良い。
【０１３０】
例えば、取引装置へのＩＣ端子部の認識処理を導入当初、又は取引装置の起動当初は、第１の実施形態で説明した動作フローを実行させる。
【０１３１】
このとき、制御部１６の取引処理部１６５は、所定時間内における取引成功率を導出する。なお、所定時間は、例えば、１時間、数時間、１週間、１月等のように、任意に設定することができる。
【０１３２】
取引の成功率は、正常な取引をしてカード返却したＳ２２、Ｓ３２、Ｓ４８、Ｓ５０、Ｓ５１の合計件数（図１及び図６参照）と、取引カードにアクセスできず、取引終了させずに取引カード返却したＳ１４、Ｓ２３、Ｓ４１、Ｓ５３の合計件数（図１及び図６参照）とを比較する。そして、取引成功が閾値（例えば９５％以上）あれば、第１の実施形態の動作モードを継続し、取引成功率が閾値未満の場合、第２の実施形態の動作モードに切り替える。
【符号の説明】
【０１３３】
１…取引装置、８ａ…カード入出口、１４…操作表示部、８…カード処理部、１６…制御部、１６１…磁気情報確認部、１６２…券面情報確認部、１６３…端子確認部、１６４…ＩＣ情報読取部、１６５…取引処理部、１６６…磁気情報復元部、８１…搬送ローラ部、８２…カード検知部、８３…カード搬送路、８４…磁気処理部、８５…画像読取部、８６…ＩＣ接点部。
【図１】
2017045174.tif 000003
【図２】
2017045174.tif 000004
【図３】
2017045174.tif 000005
【図４】
2017045174.tif 000006
【図５】
2017045174.tif 000007
【図６】
2017045174.tif 000008
【図７】
2017045174.tif 000009
【図８】
2017045174.tif 000010